(57)【要約】【課題】  実際の表示に使われない領域の有効な利用を図った表示パネル、表示装置、および表示モジュールを提供する。【解決手段】  有機ＥＬパネル２には、輝度検出センサ５１、温度センサ５２、および２つの照度センサ５３，５４の４つのセンサが、実表示領域８ａと実表示領域以外の領域８ｂとを有する発光エリア８のうち、実表示領域以外の領域８ｂに配置されている。実際の表示に使われない実表示領域以外の領域８ｂを有効に利用することができる。【選択図】      図１
2006251601.tif 000002
【特許請求の範囲】
【請求項１】
複数の画素がマトリクス状に配置された発光エリアと前記画素が配置されない非発光エリアとを含み、各画素の電気光学素子を駆動して画像を表示する表示パネルにおいて、
前記発光エリアは、画像表示に用いられる実表示領域と、実表示領域以外の領域とを有し、
前記実表示領域以外の領域と前記非発光エリアとの少なくとも一方に配置された少なくとも一つのセンサを備えることを特徴とする表示パネル。
【請求項２】
請求項１に記載の表示パネルにおいて、
前記少なくとも一つのセンサとして外光の照度を検出する照度センサが、前記非発光エリアに配置されていることを特徴とする表示パネル。
【請求項３】
請求項１又は２に記載の表示パネルにおいて、
前記少なくとも一つのセンサとしてパネルの温度を検出する温度センサが、前記実表示領域以外の領域と前記非発光エリアとを含む領域に配置されていることを特徴とする表示パネル。
【請求項４】
請求項１〜３のいずれか一つに記載の表示パネルにおいて、
前記表示パネルは、前記電気光学素子としてエレクトロルミネッセンス素子が前記各画素に設けられたエレクトロルミネッセンスパネルであり、前記少なくとも一つのセンサとして前記エレクトロルミネッセンス素子の発光輝度を検出する輝度検出センサが、前記実表示領域以外の領域に配置されていることを特徴とする表示パネル。
【請求項５】
請求項２〜４のいずれか一つに記載の表示パネルを用いた表示装置において、
前記表示パネルのパネル表面に取り付けられ、前記実表示領域に対応する部分に開口部が設けられたパネルカバーを備え、該パネルカバーには、前記パネル表面の、前記実表示領域以外の領域と前記非発光エリアとを含む領域内に外部光を導入する外部光導入用孔が設けられており、
前記照度センサは、前記パネル表面上の前記外部光導入用孔から外部光が導入される位置に配置されているとともに、前記外部光導入用孔内に収容されていることを特徴とする表示装置。
【請求項６】
請求項３又は４に記載の表示パネルを用いた表示装置において、
前記表示パネルのパネル表面に取り付けられ、前記実表示領域に対応する部分に開口部が設けられたパネルカバーを備え、
前記温度センサは前記パネル表面の前記実表示領域以外の領域と前記非発光エリアとを含む領域内に配置されているとともに、前記パネルカバーに設けられた温度センサ収容凹部に収容されていることを特徴とする表示装置。
【請求項７】
請求項４に記載の表示パネルを用いた表示装置において、
前記表示パネルのパネル表面に取り付けられ、前記実表示領域に対応する部分に開口部が設けられたパネルカバーを備え、
前記輝度検出センサは、前記複数の画素のうち前記実表示領域以外の領域内にある画素の前記エレクトロルミネッセンス素子で発光した光を受光する位置にあって、前記パネルカバーに設けられた輝度検出センサ収容凹部に収容されていることを特徴とする表示装置。
【請求項８】
請求項１〜４のいずれか一つに記載の表示パネルを複数個並べて配置し、該複数個の表示パネルで異なる画像を表示させるように構成したことを特徴とする表示モジュール。
【請求項９】
請求項１〜４のいずれか一つに記載の表示パネルを備え、前記表示パネルの発光エリア内の複数の実表示領域で異なる画像を表示させるように構成したことを特徴とする表示モジュール。
【発明の詳細な説明】
【技術分野】
【０００１】
本発明は、自動車等の車両、航空機、船舶、電車等の移動体に搭載され、移動体の速度、エンジン回転数等を画像表示する有機ＥＬパネル等の表示パネル、表示装置、および表示モジューに関する。
【背景技術】
【０００２】
従来、自動車等の車両のインストルメントパネルに搭載される車両用表示装置として、光センサを計器盤の表面に設置したものが知られている（特許文献１参照）。この従来の車両用表示装置は、スピードメータ等を配置した計器盤と、文字・絵情報等を表示する情報表示パネルとを備える。透光性文字板を有する計器盤の裏面には照明ランプが配置されており、スピードメータ内の各種情報を表示するインジケータに隣接して光センサが設けられている。この光センサの検出結果に従って計器盤上での実際の照度を検出し、この検出結果に基づいて照明ランプを調光して運転者が見やすい照明を行うようになっている。
【０００３】
また、車両のインストルメントパネルに搭載される車両用情報表示装置として、液晶ディスプレイ装置によって構成される一つの画面（マルチディスプレイ装置）内に、複数の表示をさせるようにしたものが知られている（特許文献２参照）。このような車両用情報表示装置では、表示パネルとして一つの液晶パネルを使っている。
【特許文献１】特開２００１−２６０７０７号公報
【特許文献２】特開２００４−２９１７３１号公報
【発明の開示】
【発明が解決しようとする課題】
【０００４】
ところで、上記特許文献２に記載されているような従来の車両用情報表示装置では、一つの液晶パネル内に複数の表示をさせる構成であるため、次のような問題がある。
その表示装置を車両のインストルメントパネルに搭載してスピードメータ等のメータを画像表示させる場合、液晶パネルの発光エリアには、実際の表示に使用している実表示領域（メータ等を画像表示する円形の表示部）と、実表示領域以外の領域とができ、その発光エリアが有効に利用されていない。
【０００５】
本発明は、このような従来の問題点に着目してなされたもので、その目的は、実際の表示に使われない領域の有効な利用を図った表示パネル、表示装置、および表示モジュールを提供することにある。
【課題を解決するための手段】
【０００６】
本発明における表示パネルは、複数の画素がマトリクス状に配置された発光エリアと前記画素が配置されない非発光エリアとを含み、各画素の電気光学素子を駆動して画像を表示する表示パネルにおいて、前記発光エリアは、画像表示に用いられる実表示領域と、実表示領域以外の領域とを有し、前記実表示領域以外の領域と前記非発光エリアとの少なくとも一方に配置された少なくとも一つのセンサを備えることを要旨とする。
【０００７】
これによれば、実表示領域以外の領域と非発光エリアとの少なくとも一方に少なくとも一つのセンサを配置しているので、実際の表示に使われない領域を有効に利用することができる。  ここで、「電気光学素子」とは、電気的な作用により光学特性が変化する素子の意であり、例えば、液晶、エレクトロルミネッセンス素子である有機ＥＬ素子等を含む。
【０００８】
この表示パネルにおいて、前記少なくとも一つのセンサとして外光の照度を検出する照度センサが、前記非発光エリアに配置されていることを要旨とする。
これによれば、非発光エリアに配置された照度センサにより、表示パネルに実際に当たっている光の照度を正確に検出することができる。これにより、照度センサで検出した信号を使って、外光や車室内の明るさに応じてパネルの明るさを変える制御等を行うことができる。
【０００９】
この表示パネルにおいて、前記少なくとも一つのセンサとしてパネルの温度を検出する温度センサが、前記実表示領域以外の領域と前記非発光エリアとを含む領域に配置されていることを要旨とする。
【００１０】
これによれば、実表示領域以外の領域と前記非発光エリアとを含む領域に配置された温度センサにより、表示パネルの温度を正確に検出することができる。これにより、温度センサで検出した信号を使って、パネルの温度に応じてＲＧＢ（赤、緑、青）の色バランスを変えたり、表示デザインを変えたりする制御を行うことができる。例えば、表示パネルが有機ＥＬパネルであって、この有機ＥＬパネルでメータ等を画像表示する場合、パネル温度が高いときには、熱に弱い色の有機ＥＬ素子を極力発光させないように制御したり、数字や目盛り等の背景色を熱に弱い色から熱に強い色に変えたりする制御を行うことができる。このような制御により、熱に弱い色の有機ＥＬ素子の発光寿命の劣化を抑制することができる。ここで、熱に弱い有機ＥＬ素子とは、熱をかけることにより、輝度劣化が著しく加速されるような素子をいう。
【００１１】
この表示パネルにおいて、前記表示パネルは、前記電気光学素子としてエレクトロルミネッセンス素子が前記各画素に設けられたエレクトロルミネッセンスパネルであり、前記少なくとも一つのセンサとして前記エレクトロルミネッセンス素子の発光輝度を検出する輝度検出センサが、前記実表示領域以外の領域に配置されていることを要旨とする。
【００１２】
これによれば、実表示領域以外の領域に配置された輝度検出センサによりエレクトロルミネッセンス素子の発光輝度を検出することができるので、ある期間使用した後に、エレクトロルミネッセンス素子の発光輝度がどのくらいであるかを知ることができる。また、輝度検出センサは、発光エリア内の実表示領域以外の領域に配置されているので、その実表示領域以外の領域内にある画素のエレクトロルミネッセンス素子で実際に発光した光の輝度を検出してモニタすることができる。このため、従来のエレクトロルミネッセンスパネルのように、エレクトロルミネッセンス素子の発光輝度を検出するためにダミー画素を設ける必要がない。ちなみに、従来のエレクトロルミネッセンスパネルでは、発光エリア内にある画素の発光輝度は検出できないので、アクティブエリアの外側にダミー画素を設けて、そのダミー画素の発光輝度をモニタするようにしている。
【００１３】
本発明における表示装置は、前記表示パネルを用いた表示装置において、前記表示パネルのパネル表面に取り付けられ、前記実表示領域に対応する部分に開口部が設けられたパネルカバーを備え、該パネルカバーには、前記パネル表面の、前記実表示領域以外の領域と前記非発光エリアとを含む領域内に外部光を導入する外部光導入用孔が設けられており、前記照度センサは、前記パネル表面上の前記外部光導入用孔から外部光が導入される位置に配置されているとともに、前記外部光導入用孔内に収容されていることを要旨とする。
【００１４】
これによれば、発光エリア内の実際の表示に使われない領域である実表示領域以外の領域を有効に利用した表示装置を実現することができる。また、表示パネルのパネル表面に取り付けられるパネルカバーの一部を利用して照度センサを配置することができる。
【００１５】
本発明における表示装置は、前記表示パネルを用いた表示装置において、前記表示パネルのパネル表面に取り付けられ、前記実表示領域に対応する部分に開口部が設けられたパネルカバーを備え、前記温度センサは前記パネル表面の前記実表示領域以外の領域と前記非発光エリアとを含む領域内に配置されているとともに、前記パネルカバーに設けられた温度センサ収容凹部に収容されていることを要旨とする。
【００１６】
これによれば、発光エリア内の実際の表示に使われない領域である実表示領域以外の領域を有効に利用した表示装置を実現することができる。また、表示パネルのパネル表面に取り付けられるパネルカバーの一部を利用して温度センサを配置することができる。
【００１７】
本発明における表示装置は、前記表示パネルを用いた表示装置において、前記表示パネルのパネル表面に取り付けられ、前記実表示領域に対応する部分に開口部が設けられたパネルカバーを備え、前記輝度検出センサは、前記複数の画素のうち前記実表示領域以外の領域内にある画素の前記エレクトロルミネッセンス素子で発光した光を受光する位置にあって、前記パネルカバーに設けられた輝度検出センサ収容凹部に収容されていることを要旨とする。
【００１８】
これによれば、発光エリア内の実際の表示に使われない領域である実表示領域以外の領域を有効に利用した表示装置を実現することができる。また、表示パネルのパネル表面に取り付けられるパネルカバーの一部を利用して輝度検出センサを配置することができる。
【００１９】
本発明における表示モジュールは、前記表示パネルを複数個並べて配置し、該複数個の表示パネルで異なる画像を表示させるように構成したことを要旨とする。
これによれば、複数個の表示パネルで異なる画像を表示させる表示モジュールにおいて、各表示パネルの発光エリア内の実表示領域以外の領域を有効に利用することができる。
【００２０】
本発明における表示モジュールは、前記表示パネルを備え、前記表示パネルの発光エリア内の複数の実表示領域で異なる画像を表示させるように構成したことを要旨とする。
これによれば、１枚のパネルで異なる画像を表示させる表示モジュールにおいて、表示パネルの発光エリア内の実表示領域以外の領域を有効に利用することができる。
【発明を実施するための最良の形態】
【００２１】
以下、本発明を具体化した各実施形態を、図面に基づいて説明する。なお、各実施形態の説明において同様の部位には同一の符号を付して重複した説明を省略する。
（第１実施形態）
第１実施形態に係る表示装置１を図１〜図４に基づいて説明する。
【００２２】
この表示装置１は、移動体として自動車等の車両に搭載されてスピードメータやタコメータ等のメータを画像表示するものである。本実施形態に係る表示装置１は、一例として、自動車等の車両４０のインストルメントパネル４１（図９参照）に搭載されて、スピードメータの画像を表示するようになっている。
【００２３】
表示装置１は、図１および図２に示すように、エレクトロルミネッセンスパネルとしての有機ＥＬパネル２と、この有機ＥＬパネル２の表面（パネル表面３）に取り付けられたパネルカバー２０とを備える。
【００２４】
表示パネルとしての有機ＥＬパネル２は、図２に示すように、エレクトロルミネッセンス素子としての有機ＥＬ素子２２１をそれぞれ有する複数の画素２２０がマトリクス状に配置された発光素子基板１１と、複数の画素２２０を密封するように発光素子基板１１に接合された封止基板１２とを備える。図２では複数の画素２２０のうちの一つのみを示し
てある。この有機ＥＬパネル２は、複数の画素２２０の各有機ＥＬ素子２２１で発光した光が図３の矢印で示すように、有機ＥＬパネル２のパネル表面３側から出射するボトムエミッションタイプの有機ＥＬパネルである。なお、そのパネル表面３は、発光素子基板１１の表面である。
【００２５】
有機ＥＬパネル２の光出射面であるパネル表面３には、外部入射光がその表面で反射するのを抑制するために図示を省略した円偏光板が貼付けられている。この円偏光板は、有機ＥＬパネル２の発光エリア８のうち、スピードメータを画像表示する実表示領域８ａ全体を覆うように配置されている。その発光エリア８は、図２において符号「８」で示す矩形の領域全体である。この発光エリア８の周囲が、いわゆる額縁と呼ばれる非発光エリア９（図２参照）になっている。そして、発光エリア８は、画像表示に用いられる実表示領域８ａと、実表示領域以外の領域８ｂ（図１および図２の斜線で示す領域）とを有する。つまり、この実表示領域以外の領域８ｂは、発光エリア８のうち、画像表示に使用されない領域である。
【００２６】
有機ＥＬパネル２の発光素子基板１１上には、図３では図示を省略してあるが、陽極として機能する矩形状の画素電極がマトリクス状に形成されており、各画素電極上に、例えば、正孔注入／輸送層と発光層とが順次積層形成され、発光層が形成された基板のほぼ全面に渡って陰極が形成されている。また、各画素電極には、薄膜トランジスタ（ＴＦＴ）等が電気的に接続されており、各画素電極、その上に形成された正孔注入／輸送層、発光層、および陰極により、各画素２２０の有機ＥＬ素子２２１（図２参照）が構成されている。つまり、図２に示す一つの画素の有機ＥＬ素子２２１は、透明な画素電極と、正孔注入／輸送層と、発光層と、共通電極である陰極とで構成されている。さらに、発光素子基板１１上には、複数の電源線、複数の信号線、および複数の制御線を含む複数の配線の端子部（図示省略）が形成されている。
【００２７】
封止基板１２は、例えば透明なガラス基板で作製されている。封止基板１２は、複数の画素２２０全体を密封するように発光素子基板１１に接合されている。また、有機ＥＬパネル２は、発光素子基板１１と封止基板１２との間の空間に収納され、水分を吸収可能な乾燥剤（図示省略）を備えている。
【００２８】
このような有機ＥＬパネル２を有する表示装置１はさらに、図１および図２に示すように、発光素子基板１１に接続される２つフレキシブル配線基板１３，１３を備える。これら２つのフレキシブル配線基板１３の各出力側端子部（図示省略）と、発光素子基板１１の端子部（図示省略）とは、異方性導電膜の接着剤を介して熱圧着することで電気的に接続される。また、各フレキシブル配線基板１３には、データ線駆動回路として構成されたドライバＩＣ１４がそれぞれ実装されている。
【００２９】
これら２つのフレキシブル配線基板１３は、図示を省略した外部の制御回路とそれぞれ電気的に接続され、各種の表示用画像データ、制御信号、電源等の信号がその制御回路から図示を省略した接続ケーブルを介して各フレキシブル配線基板１３に入力されるようになっている。本実施形態では有機ＥＬパネル２の実表示領域８ａでスピードメータの画像を表示させるので、この画像表示に必要な表示用画像データとして、車情報データとしての車速に基づいて作製された画像データが外部の制御回路から供給される。
【００３０】
パネルカバー２０は、有機ＥＬパネル２のパネル表面３に固定される。このパネルカバー２０の中央部には、有機ＥＬパネル２の実表示領域８ａで表示される画像を外部に見せるための円形の開口部（貫通孔）２１が設けられている（図１，図３参照）。
【００３１】
そして、本実施形態に係る表示装置１で用いる有機ＥＬパネル２の特徴は、発光エリア
８内の実表示領域以外の領域８ｂに配置された少なくとも一つのセンサを備える点にある。具体的には、有機ＥＬパネル２には、図１および図２に示すように、少なくとも一つのセンサとして、輝度検出センサ５１、温度センサ５２、および２つの照度センサ５３，５４の４つのセンサが、実表示領域以外の領域８ｂに配置されている。
【００３２】
輝度検出センサ５１は、有機ＥＬ素子２２１の発光輝度を検出するセンサで、例えばフォトダイオード（ＰＤ）等の受光素子で構成される。輝度検出センサ５１は、図１および図２に示すように実表示領域以外の領域８ｂ内にある画素２２０の有機ＥＬ素子２２１で発光した光を受光する位置に配置されており、画像表示には使用されない画素２２０の有機ＥＬ素子２２１で発光した光の輝度を検出する。つまり、表示装置１は、図示を省略した走査線駆動回路とデータ線駆動回路としてのドライバＩＣ１４，１４は、実表示領域８ａと実表示領域以外の領域８ｂとを含む発光エリア８全体に含まれる複数の画素２２０を走査して各画素の有機ＥＬ素子２２１を発光させるようになっている。そのため、この表示装置１は、実表示領域以外の領域８ｂ内にある画素例えば一つの画素２２０の有機ＥＬ素子２２１で発光する光を利用し、その光を輝度検出センサ５１で受けて、その発光輝度を検出するようになっている。
【００３３】
輝度検出センサ５１は、図１，図２および図３に示すように、実表示領域以外の領域８ｂ内にある一つの画素２２０の有機ＥＬ素子２２１で発光する光を受光する位置にあって、パネル表面３に貼付部５１ｂ、５１ｂが貼り付けられた基板５１ａのパネル表面３と対向する側の面に固定されている。このような構成を有する輝度検出センサユニットが、パネルカバー２０に設けられた輝度検出センサ収容凹部２２に収容されている。なお、符号「５１ｃ」は、輝度検出センサ５１に接続された配線である。
【００３４】
温度センサ５２は、有機ＥＬパネル２の温度を検出するセンサで、この温度センサとして例えば熱電対、半導体の温度センサ等が使用される。この温度センサ５２は、図１，図２および図３に示すように、実表示領域以外の領域８ｂ内にあってパネル表面３に貼り付けられているとともに、パネルカバー２０に設けられた温度センサ収容凹部２３に収容されている。
【００３５】
上記パネルカバー２０にはさらに、図１および図４に示すように、パネル表面３の実表示領域以外の領域８ｂ内に外部光を導入する２つの外部光導入用貫通孔２４，２５が設けられている。外光の照度を検出する２つの照度センサ５３，５４はそれぞれ、パネル表面３上の外部光導入用貫通孔２４，２５から外部光が導入される位置に配置されているとともに、外部光導入用貫通孔２４，２５内に収容されている。
【００３６】
以上のように構成された第１実施形態によれば、以下の作用効果を奏する。
○発光エリア８の実表示領域以外の領域８ｂに輝度検出センサ５１、温度センサ５２、および２つの照度センサ５３，５４の４つのセンサを配置しているので、実際の表示に使われない実表示領域以外の領域８ｂを有効に利用することができる。
【００３７】
○実表示領域以外の領域８ｂに配置された２つの照度センサ５３，５４により、有機ＥＬパネル２に実際に当たっている光（外光或いは車室内の光）の照度を正確に検出することができる。これにより、照度センサ５３，５４で検出した信号を使って、外光や車室内の明るさに応じて有機ＥＬパネル２の明るさを変える制御等を行うことができる。
【００３８】
○実表示領域以外の領域８ｂに配置された温度センサ５２により、有機ＥＬパネル２の温度を正確に検出することができる。これにより、温度センサ５２で検出した信号を使って、有機ＥＬパネル２の温度に応じてＲＧＢ（赤、緑、青）の各画素の色バランスを変えたり、表示デザインを変えたりする制御を行うことができる。
【００３９】
○実表示領域以外の領域８ｂに配置された輝度検出センサ５１により、ある期間使用した後に、有機ＥＬ素子２２１の発光輝度がどのくらいであるかを輝度検出センサ５１で検出して知ることができる。
【００４０】
○輝度検出センサ５１は、発光エリア８内の実表示領域以外の領域８ｂに配置されているので、その実表示領域以外の領域８ｂ内にある一つの画素２２０の有機ＥＬ素子２２１で実際に発光した光の輝度を検出してモニタすることができる。このため、従来のエレクトロルミネッセンスパネルのように、有機ＥＬ素子の発光輝度を検出するために有機ＥＬパネル２にダミー画素を設ける必要がない。
【００４１】
○輝度検出センサ５１を含む輝度検出センサユニットがパネルカバー２０の輝度検出センサ収容凹部２２に収容され、温度センサ５２がパネルカバー２０の温度センサ収容凹部２３に収容されている。また、２つの照度センサ５３，５４は、パネルカバー２０の２つの外部光導入用貫通孔２４，２５内にそれぞれ収容されている。このようにして、有機ＥＬパネル２のパネル表面３に取り付けられるパネルカバー２０の一部を利用して４つのセンサを配置することができる。
【００４２】
（第２実施形態）
第２実施形態に係る移動体の表示モジュール１０を図５〜図９に基づいて説明する。
この移動体の表示モジュール１０は、上記第１実施形態で説明した有機ＥＬパネル２を複数個（本例では３つ）並べて配置し、これらの有機ＥＬパネルで異なる画像を表示させるように構成したものである。
【００４３】
移動体の表示モジュール１０は、図５に示すように、３つの有機ＥＬパネル２ａ，２ｂ，２ｃを備え、一例として、真中の有機ＥＬパネル２ａにより、車速をアナログ表示するスピードメータの目盛り９１、数字９２および指針９３を表示する。また、右側の有機ＥＬパネル２ｂによりエンジン回転数をアナログ表示するタコメータの目盛り９４、数字９５および指針９６を表示し、左側の有機ＥＬパネル２ｃでカーナビゲーション装置の地図情報等の画像９７を表示する。また、有機ＥＬパネル２ｃでは、テレビの画像やＤＶＤ装置の画像も表示できる。
【００４４】
この移動体の表示モジュール１０で用いた３つの有機ＥＬパネル２ａ，２ｂ，２ｃのうち、有機ＥＬパネル２ａ，２ｃは、上記４つのセンサ５１〜５４を備えていない点と、各パネルに一つのフレキシブル配線基板１３ａ（図８参照）が接続されている点を除き、上記有機ＥＬパネル２と同じ構成を有する。また、有機ＥＬパネル２ｂは、一つのフレキシブル配線基板１３ａが接続されている点を除き、上記有機ＥＬパネル２と同じ構成を有する。
【００４５】
この有機ＥＬパネル２ｂには、上記有機ＥＬパネル２と同様に、輝度検出センサ５１、温度センサ５２、および２つの照度センサ５３，５４の４つのセンサが、実表示領域８２ａと実表示領域以外の領域８２ｂとを有する発光エリア８のうち、実表示領域以外の領域８２ｂ（図５で斜線で示す領域）に配置されている。一方、有機ＥＬパネル２ａについては、実表示領域８１ａと実表示領域以外の領域８１ｂとを有する発光エリア８のうち、実表示領域以外の領域８１ｂ（図５で斜線で示す領域）にはセンサが配置されていない。有機ＥＬパネル２ｃも同様に、実表示領域８３ａと実表示領域以外の領域８３ｂとを有する発光エリア８のうち、実表示領域以外の領域８３ｂ（図５で斜線で示す領域）にはセンサが配置されていない。
【００４６】
移動体の表示モジュール１０では、３つの有機ＥＬパネル２ａ，２ｂ，２ｃは図６に示
すパネルカバー３０に、真中の有機ＥＬパネル２ａの非発光エリア９と左右の有機ＥＬパネル２ｂ、２ｃの各非発光エリア９が平面的に重なるように配置されている（図８参照）。このパネルカバー３０は、図６〜図８に示すように、３つの有機ＥＬパネル２ａ，２ｂ，２ｃの各表面側がそれぞれ固定される高さの異なる３つのパネル取り付け面３０ａ，３０ｂ，３０ｃを有する。また、このパネルカバー３０には、有機ＥＬパネル２ａの実表示領域８１ａ、有機ＥＬパネル２ｂの実表示領域８２ａ、および有機ＥＬパネル２ｃの実表示領域８３ａにそれぞれ対応する部分に円形の開口部３３，３４および矩形の開口部３５が設けられている。
【００４７】
さらに、このパネルカバー３０には、上記パネルカバー２０と同様に、輝度検出センサ５１を収容する輝度検出センサ収容凹部３６と、温度センサ５２を収容する温度センサ収容凹部３７と、２つの照度センサ５３，５４を収容する外部光導入用貫通孔３８，３９とが設けられている（図６，図７参照）。
【００４８】
なお、この移動体の表示モジュール１０では、図８に示す各フレキシブル配線基板１３ａには、車速およびエンジン回転数にそれぞれ基づいて作製されたスピードメータおよびタコメータの各画像を表示させるための表示用画像データが上記外部の制御回路から供給される。また、カーナビゲーション装置（図示省略）の地図画面の画像９７を表示させるための画像データが制御回路から供給されるようになっている。このような構成を有する移動体の表示モジュール１０を自動車等の車両４０のインストルメントパネル４１に搭載した状態を図９に示してある。
【００４９】
以上のように構成された第２実施形態によれば、上記第１実施形態の奏する作用効果に加えて、以下の作用効果を奏する。
○３つの有機ＥＬパネル２ａ，２ｂ，２ｃで異なる画像を表示させる移動体の表示モジュール１０において、有機ＥＬパネル２ｂの発光エリア８内の実表示領域以外の領域８３ｂを有効に利用することができる。
【００５０】
なお、この発明は以下のように変更して具体化することもできる。
・上記第１実施形態では、温度センサ５２と照度センサ５３，５４を有機ＥＬパネル２の実表示領域以外の領域８ｂに配置したが、温度センサと照度センサについては、非発光エリア９に配置しても良い。つまり、これらのセンサは、実表示領域以外の領域８ｂと非発光エリア９とを含む領域内に配置可能である。これに対して、輝度検出センサ５１は、有機ＥＬ素子２２１で発光した光を受ける必要があるため、発光エリア８内の実表示領域以外の領域８ｂに配置する必要がある。
【００５１】
・上記第１実施形態では、電気光学素子として発光素子である有機ＥＬ素子を用いているが、電気光学素子として液晶を用いてもよい。そして，マトリクス状に配置された複数の画素の液晶が駆動されて画像を表示する液晶パネルを用いた液晶表示装置にも本発明は適用可能である。
【００５２】
・上記第１実施形態では、表示パネルとして有機ＥＬディスプレイに用いる有機ＥＬパネルを一例として説明したが、放電を用いた蛍光型のプラズマディスプレイに用いる表示パネル、電子放出素子を用いたディスプレイ（ＦＥＤ）やＳＥＤ（Surface−Conduction
Electron−Emitter  Display）に用いる表示パネルにも本発明は適用可能で、上記各実施形態と同様の効果を得ることができる。
【００５３】
・上記第１実施形態では、有機ＥＬパネル２の実表示領域以外の領域８ｂ内に４つのセンサを配置した構成を一例として説明したが、本発明はこの構成に限定されない。その実表示領域以外の領域８ｂに配置するセンサの種類や数を適宜変更した構成にも本発明は適
用可能である。例えば、実表示領域以外の領域８ｂに、輝度検出センサ５１、温度センサ５２および照度センサ５３のうちの１種類のセンサのみを１個或いは複数個配置する構成であっても良い。また、これら３種類のセンサをその実表示領域以外の領域８ｂにそれぞれ複数個ずつ配置する構成であってもよい。
【００５４】
・上記第２実施形態では、３つの有機ＥＬパネル２ａ，２ｂ，２ｃのうち有機ＥＬパネル２ｂの実表示領域以外の領域８２ｂに４つのセンサを配置したが、有機ＥＬパネル２ａ，２ｃの実表示領域以外の領域８１ｂ，８３ｂのいずれか一方或いは両方にも１個或いは複数個のセンサを配置しても良い。
【００５５】
・上記各実施形態では、エレクトロルミネッセンス素子として有機ＥＬ素子２２１を用いた有機ＥＬパネルについて説明したが、無機ＥＬ素子を用いた無機ＥＬパネル、これを用いた表示装置や移動体の表示モジュールにも適用可能である。
【００５６】
・上記各実施形態では、自動車等の車両に搭載される表示装置１や、表示モジュールとしての移動体の表示モジュール１０を一例として説明したが、本発明は、自動車等の車両以外に、航空機、船舶、電車等の移動体のインストルメントパネルや計器盤に搭載して、各種のメータ等の計器を画像表示するのに広く適用可能である。
【００５７】
・上記第２実施形態では、異なる画像を表示する複数（本例では一例として３つ）の有機ＥＬパネル２ａ，２ｂ，２ｃを備えた移動体の表示モジュール１０を一例として説明したが、本発明はこのような移動体の表示モジュールに限定されない。本発明は、有機ＥＬパネル２の発光エリア８内の複数の実表示領域（例えば３つの表示領域）で異なる画像を表示させる（マルチ表示させる）ように構成された表示モジュールに広く適用可能である。
【００５８】
・上記各実施形態では、発光素子基板側から光が出射するボトムエミッションタイプの有機ＥＬパネルについて一例として説明したが、本発明は、封止部材側から光が出射するトップエミッションタイプの有機ＥＬパネル、およびこれを用いた表示装置や移動体の表示モジュールにも適用可能である。
【００５９】
・上記第２実施形態に係る移動体の表示モジュール１０では、有機ＥＬパネルの数を「３」としているが、その数は一例であって、本発明は「３」以外の複数の有機ＥＬパネルを用いた移動体の表示モジュールに適用可能である。
【００６０】
・上記第２実施形態に係る移動体の表示モジュール１０では、同じ大きさの３つの有機ＥＬパネル２ａ，２ｂ，２ｃを用いているが、大きさの異なる複数の有機ＥＬパネルを用いた移動体の表示モジュールにも本発明は適用可能である。例えば、自動車等の車両に実装し、３つの有機ＥＬパネルのうち真中のパネルでスピードメータを表示する場合には、スピードメータの視認性を向上させるために、真中のパネルを大きくして上に位置させ、左右のパネルを小さくして真中のパネルよりも下げるのが好ましい。
【図面の簡単な説明】
【００６１】
【図１】第１実施形態に係る表示装置を示す平面図。
【図２】同表示装置の表示パネルを示す平面図。
【図３】図１のＡ−Ａ線に沿った断面図。
【図４】図１のＢ−Ｂ線に沿った断面図。
【図５】第２実施形態に係る移動体の表示モジュールを示す平面図。
【図６】同表示モジュールのパネルカバーを示す斜視図。
【図７】同パネルカバーを裏側から見た斜視図。
【図８】第２実施形態に係る移動体の表示モジュールを裏側から見た斜視図。
【図９】同表示モジュールが搭載された車両内部を示す斜視図。
【符号の説明】
【００６２】
１…表示装置、３…パネル表面、８…発光エリア、８ａ，８１ａ，８２ａ，８３ａ…実表示領域、８ｂ，８１ｂ，８２ｂ，８３ｂ…実表示領域以外の領域、２０，３０…パネルカバー、２１，３３，３４，３５…開口部、２２，３６…輝度検出センサ収容凹部、２３，３７…温度センサ収容凹部、２４，２５，３８，３９…外部光導入用孔、５１…輝度検出センサ、５２…温度センサ、５３，５４…照度センサ、９７…画像、２２０…画素。
【図１】
2006251601.tif 000003
【図２】
2006251601.tif 000004
【図３】
2006251601.tif 000005
【図４】
2006251601.tif 000006
【図５】
2006251601.tif 000007
【図６】
2006251601.tif 000008
【図７】
2006251601.tif 000009
【図８】
2006251601.tif 000010
【図９】
2006251601.tif 000011